(57)【要約】【課題】商品と広告との連携感に富み、また遠方からでも商品の存在を訴求することができ、さらには周囲に居る消費者に対しても高い広告効果が得られるようにした展示装置を提供する【解決手段】透明な筒体１と、この筒体１の内部に設けられた広告表示体２とを備え、この広告表示体２は、基部３に回転軸４を軸支持させるとともに、この回転軸４を駆動する電動駆動部５と、回転自在に給電する電源供給部６とを備えた駆動ユニット７と、基部３及び回転軸４の少なくとも一方に取り付けられるとともに複数の発光体８を設けた広告板９と、基部３及び回転軸４の少なくとも一方に取り付けられ商品を置く置き台１０とを備え、電源供給部６を介して電動駆動部５と発光体８とに電力を供給し広告板９及び置き台１０のうち少なくとも一方を回転せしめるとともに広告板９に設けられた発光体８を発光させる。【選択図】図１
2010005353.tif 000002
【特許請求の範囲】
【請求項１】
透明な筒体と、この筒体の内部に設けられた広告表示体とを備え、この広告表示体は、基部に回転軸を軸支持させるとともに、この回転軸を駆動する電動駆動部と、回転自在に給電する電源供給部とを備えた駆動ユニットと、基部及び回転軸の少なくとも一方に取り付けられるとともに複数の発光体を設けた広告板と、基部及び回転軸の少なくとも一方に取り付けられ商品を置く置き台とを備え、電源供給部を介して電動駆動部と発光体とに電力を供給し広告板及び置き台のうち少なくとも一方を回転せしめるとともに広告板に設けられた発光体を発光させることを特徴とする展示装置。
【請求項２】
前記筒体内に複数の駆動ユニットを設けるとともに、駆動ユニット同士を直列に連結し、各駆動ユニット間に広告板及び置き台の一方を連結したことを特徴とする請求項１に記載の展示装置。
【請求項３】
前記発光体に狭指向性の発光ダイオードを含むことを特徴とする請求項１及び２のいずれかに記載の展示装置。
【請求項４】
前記電動駆動部と複数の発光体とを制御する制御部を備え、この制御部により電動駆動部の回転方向及び速度と発光体の発光順を制御することを特徴とする請求項１ないし３のいずれかに記載の展示装置。
【請求項５】
前記置き台に発光体を設けたことを特徴とする請求項１ないし４のいずれかに記載の展示装置
【発明の詳細な説明】
【技術分野】
【０００１】  この発明は展示装置に係り、特に商品の広告効果に富む展示装置に関する。
【背景技術】
【０００２】比較的小型の商品を展示する装置としては種々のものが提供されている。その一例として特許公開平５−４６８５７に示されているものは、清涼飲料水などの商品を回転台の上に載せるとともに照明装置により商品を際立たせる構成を採っている。【０００３】また、宝石などを展示するものとしてドーム状の透明体の内部に回転台を設置し、この回転台上に商品を設置することで商品を魅力的に見せるものが種々利用されている。【０００４】  一方、店頭などで商品やサービスを表示するのものとしていわゆる回転式看板がある。この回転式看板としては内部に蛍光灯などの光源を有するものや、外側に点滅する電球を設けたものもある。
【特許文献１】特許公開平５−４６８５７
【発明の開示】
【発明が解決しようとする課題】
【０００５】しかし、前記した従来のものでは、展示商品と広告が分離されているために商品と広告との連携感に欠け商品訴求力が不十分である。なお、回転台の上面や側面に商品名を描いたものも見られるが商品と共に動くものであるため消費者の目を引くには至らないものであった。【０００６】  本発明は従来の問題点を解決し、商品と広告との連携感に富み、また遠方からでも商品の存在を訴求することができ、さらには周囲に居る消費者に対しても高い広告効果が得られるようにした展示装置を提供することを目的とする。
【課題を解決するための手段】
【０００７】  本発明の展示装置は店舗内などにおいて天井から吊下げた状態あるいは立てた状態で設置するものであり、装置内部に商品を入れて展示するためのものである。アクリルなどの軽量で強度の高い材質で筒体１を形成し、この筒体１の内部に広告表示体２を設けてある。【０００８】  筒体１は内部が見られるものであれば良く、完全な透明が好適であるが、例えば着色したものやデザインされた若干の塗装部などがあってもよいのはもちろんである。【０００９】  広告表示体２は、基部３に回転軸４を軸支持させるとともに、この回転軸４を駆動する電動駆動部５と、回転自在に給電する電源供給部６とを備えた駆動ユニット７と、基部３及び回転軸４の少なくとも一方に取り付けられるとともに複数の発光体８を設けた広告板９と、基部３及び回転軸４の少なくとも一方に取り付けられ商品を置く置き台１０とを備えている。【００１０】  前記回転軸４を駆動する電動駆動部５はモーターに減速機を備えたものとすることができる。また、電源供給部６は１０回路程度のロータリー式コネクターを使用することができる。ロータリー式コネクターとは相互に回転するよう設けた筒状体の一方に円形の接触端子を複数本設ける一方、他方の筒状体にこの接触端子に接触するよう複数のブラシを設けたものが例示できる。【００１１】  また、発光体としては発光ダイオードが好適であるが、有機エレクトロルミネッセンスや白熱球を使用することも可能である。発光ダイオードとしては取り付ける部位に応じて指向性が１５度程度の狭指向性がのもの、３０度程度の中指向性のもの、６０度程度の広指向性のものなどを適宜使用するのがよい。【００１２】  そして前記電源供給部６を介して電動駆動部５と発光体８とに電力を供給し広告板９及び置き台１０のうち少なくとも一方を回転せしめる。同時に広告板９に設けられた発光体８を発光させることで効果的な商品展示が可能となる。【００１３】  なお、前記筒体１内に複数の駆動ユニット７を設けるとともに、駆動ユニット７同士を直列に連結し、各駆動ユニット７間に広告板９及び置き台１０の一方を設けたものとすることができる。この構成を採ると複数の広告板９や置き台１０を別々に作動させることができるため更に広告効果が増進する。【００１４】  なお、前記電動駆動部５と複数の発光体８は単純な電源供給のみで作動させることも可能であるが、これらをシーケンサーやマイクロコンピュータを利用した制御部１１で制御させることができる。すなわち、この制御部１１により電動駆動部５の回転方向及び速度と発光体８の発光順を制御することでより多彩な広告表現が可能となる。
【発明の効果】
【００１５】  本発明によれば、透明な筒体の内部に広告板と商品を置く置き台とを設置し、広告板と置き台とが駆動ユニットによって異なった動きをするため、消費者に対する広告効果が大きい。【００１６】  また、発光体に狭指向性のものを使用すれば、回転する強い光を周囲に与えることができるため遠くの消費者にも注意を喚起することができる。
さらに、複数の駆動ユニットを設置し、駆動ユニット間に広告板や置き台とを設置することで、多くの広告板や置き台に独立した動きや点滅を行わせることができ広告効果を更に増大させることができる。
【発明を実施するための最良の形態】
【００１７】（第１の実施の形態）
以下本発明の第１の実施の形態を図１ないし図６に基づいて説明する。
本発明の展示装置はその大きさは任意であるが、店内に容易に設置できるよう比較的小型の商品、例えば携帯電話、清涼飲料水、宝飾品などに適するようなサイズに構成したものにつき説明する。なお、設置は吊り下げが好適であるが、立てて設置することも可能である。【００１８】  筒体１は透明アクリル樹脂により円筒状に形成されており、その上下には着脱可能なキャップ部１ａ、１ｂが夫々取り付けられている。このキャップ部１ａ、１ｂは透明アクリル樹脂や着色や塗装がなされたアクリル樹脂が用いられている。なお、着脱可能にする理由は内部の機械電気部分のメンテナンスと商品の入れ替えのためである。【００１９】  キャップ部１ａ、１ｂの端部には化粧ボール１ｃ、１ｄが設けられている。この化粧ボール１ｃ、１ｄには電源コードが通る穴が設けられている。また、キャップ部１ａには図示しない天吊用アタッチメントに係止するためのロック機構が内装されている。【００２０】  この筒体１の内部には広告表示体２が設けられている。この広告表示体２は図３に示すように、箱状の筐体として形成した基部３に回転軸４を軸支持させたもので、この回転軸４は中空のパイプが用いられており、ベアリング２１とスラストベアリング２０により支持されている。【００２１】  スラストベアリング２０は図３に示すように基部３の中央付近を仕切る板状のサブフレーム２２に設けられており、回転軸４の一端を保持するようになっている。なお、回転軸４の一端は大径部４ａとなっており、この大径部４ａをスラストベアリング２０に係止せしめることで抜け止めがなされている。【００２２】  一方、ベアリング２１は基部３の底部に設けた取り付けフレーム２３に固定されており、このベアリング２１の内径部分に回転軸４が挿通されるようになっている。【００２３】  この回転軸４には回転軸４を駆動する電動駆動部５が連結されている。すなわち回転軸４の大径部４ａの外周部に平ギア５ａが設けられておりこれをモーター５ｂで回転させるよう構成されている。モーター５ｂは基部３の内側に設けられたモーター基台５ｃに取り付けられている。このモーター基台５ｃは平行した２枚の板で構成されており、平ギア５ａに噛合するアイドルギア５ｄが回転自在に軸止されている。このアイドルギア５ｄにはモーター５ｂの軸に取り付けられたピニオンギア５ｅが噛合しており、モーター５ｂが回転すると平ギア５ａが回転し回転軸４が回転する。【００２４】  なお、取り付けフレーム２３には他のフレーム（例えば広告板９の内部）に取り付けるための取り付け穴２４が穿設されている。【００２５】  回転軸４の内部には電源供給部６としてのロータリー式コネクターが設けられている。この電源供給部６は２つのシリンダを回転自由に結合した形状をなしており、夫々のシリンダに接続コード６ｂ、６ｃが設けられている。これによって電源や信号を途切れなく供給され、本実施態様では電源用に４回路、シリアル信号伝送用として６回路の計１０回路のものを使用している。【００２６】  電源供給部６の上端と基部３との間にはコイルスプリング６ａが介挿されており、電源供給部６を回転軸４側に押し付けることで電源供給部６が抜けないようになっている
以上のように構成した駆動ユニット７は基部３及び回転軸４が相対的に回転するため、いずれか一方を固定すれば他方が回転するものである。この回転軸４には図１に示すように広告板９が設けられている。【００２７】  この広告板９は長方形の板状に形成されており、その下端には半円状の切り欠きが形成されている。本実施態様では広告板９の内部に駆動ユニット７と同一構成である第２の駆動ユニット７０が設けられている。そして、この第２の駆動ユニット７０の第２の回転軸４０には商品６０を置く置き台１０が取り付けられている。第２の駆動ユニット７０は図５に示すように基部３の上端にフランジ７１が設けられており、上方に位置する駆動ユニット７の回転軸４が内嵌するようになっている。フランジ７１はボルト７２で基部３に固定されているとともに、ボルト７３によって回転軸４を固定している。【００２８】  これにより駆動ユニット７と第２の駆動ユニット７０とは直列に接続され、広告板９は駆動ユニット７により矢示５０方向に回転し、置き台１０は第２の駆動ユニット７０により矢示５１方向に回転する。【００２９】  前記広告板９と置き台１０には夫々発光体８たる発光ダイオードが設けられている。本実施態様では指向性が１５度程度の狭指向性がのものを広告板９の側面に、また、３０度程度の中指向性のものを広告板９の正面に設けられた商品ロゴ８ａ内に、さらに６０度程度の広指向性のものを広告板９の下端と置き台１０とに設置している。【００３０】  これにより、広告板９の側面からは鋭い指向性の光が出ることになり恰も回転灯のような展示効果を得ることができる。【００３１】  前記電動駆動部５と発光体８は図６に示すように制御部１１によって制御され、この制御部により電動駆動部５の回転方向及び速度と発光体８の発光順を制御するようになっている。制御部１１はプログラマブルのマイクロプロセシングユニットで構成されており、入出力部（Ｉ／Ｏ）３０が接続されている。この入出力部３０及び制御部１１には電源供給部６を介して電源４５が接続されている。入出力部３０にはＵＳＢ端子３１が設けられ、別のコンピュータから商品のコンセプトに合わせた任意の動作プログラムをインストールすることができるようになっている。【００３２】  入出力部３０にはモーター（第１）５ｂを制御するための第１モーター制御部３２、モーター（第２）５０ｂを制御するための第２モーター制御部３８、発光体（第１ＬＥＤ群）８を制御するための第１ＬＥＤ駆動部３４、及び発光体（第２ＬＥＤ群）８０を制御するための第２ＬＥＤ駆動部３６、が夫々接続されている。【００３３】  インストールされた動作プログラムはモーター５ｂの動作を任意に制御するほか、発光体８，８０の点灯を制御する。例えば、広告板９の発光体８を派手に点滅させた後に一旦消灯し、その後置き台１０の発光体８をフェードインさせて商品を浮き立たせるというような演出が可能となる。また、広告板９側面の発光体８を下から上へ流れるような点滅順序で発光させた場合は広告板９の回転によって、光が螺旋を描くような展示効果も期待できる。【００３４】  以上述べたように、透明な筒体の内部に広告板と商品を置く置き台とを設置したことで外観的に斬新な��象を与えることができるとともに、広告板と置き台とが駆動ユニットによって異なった動きをするため、消費者に対する広告効果が大きい。
さらに、制御部１１を設けた場合にはすべての動作と点灯状態を任意に設定できるため更に訴求効果が高まる。【００３５】  なお、前記ＵＳＢ端子３１に加えてローカルエリアネットワーク端子を設けてもよい、この場合は動作シーケンスを外部から供給できるため、例えば店内に多数設置した本装置を同期させて制御することが可能となる。利用法として音楽や店内のメイン照明と連携させて動作させることで店内の雰囲気までも演出することができる。
（第２の実施の形態）【００３６】以下本発明の他の実施の形態を図７及び図８に基づいて説明する。
第７図に示す実施の形態は駆動ユニット７を３台設けたものであって、筒体１の中間部に設けたブラケット４６内に２台の駆動ユニット７を設け、上下方向に回転軸４、４０延出させてある。回転軸４には置き台１０が設けられており、一方、回転軸４には広告板９が設けられている。【００３７】  広告板９内には（第３の）駆動ユニット７０が設けられているとともにこの（第３の）駆動ユニット７０には回転軸４が接続されている。この接続の状態は図５に示す通りである。そして、（第３の）駆動ユニット７０の回転軸４０には置き台１０が設けられている。
このような構成とすることで２つの置き台１０と広告板９を独立して作動させることができ、より高い広告効果を期待できる。【００３８】  図８はその他の実施態様を示し、駆動ユニット７、置き台１０、及び広告板９を多数用いて店舗の床から天井までの展示台を構成したものである。このように店舗の高さ全部を使うことで極めて強力な宣伝展示効果が得られる。
【図面の簡単な説明】
【００３９】
【図１】この発明の一実施形態による展示装置の内部構造を示す一部断面とした側面図
【図２】この発明の一実施形態による展示装置の外観を示す側面図
【図３】この発明の一実施形態による展示装置の駆動ユニットの内部構造を示す側面図
【図４】この発明の一実施形態による展示装置の駆動ユニットの内部構造を示す平面図
【図５】この発明の一実施形態による展示装置の駆動ユニット同士の連結部を示す側面図
【図６】この発明の一実施形態による展示装置のブロック図
【図７】この発明の他の実施形態による展示装置の内部構造を示す側面図
【図８】この発明のその他の実施形態による展示装置の外観を示す側面図
【符号の説明】
【００４０】１…筒体
２…広告表示体
３…基部
４…回転軸
５…電動駆動部
６…電源供給部
７…駆動ユニット
８…発光体
９…広告板
１０…置き台
１１…制御部
【図１】
2010005353.tif 000003
【図２】
2010005353.tif 000004
【図５】
2010005353.tif 000005
【図３】
2010005353.tif 000006
【図６】
2010005353.tif 000007
【図４】
2010005353.tif 000008
【図７】
2010005353.tif 000009
【図８】
2010005353.tif 000010